(57)【要約】      （修正有）【課題】被検者が２以上の視標を容易に識別可能な検眼装置を提供する。【解決手段】第１の視標像を投影する光束を軸角度が異なる２以上の光束に分割する光束分割部材４９を有し、２以上の第１の視標像を分離した状態で被検眼に投影する第１視標投影手段７と、２以上の第１の視標像のそれぞれに対応した２以上の第２の視標像を被検眼に投影する第２視標投影手段６と、第１視標投影手段７と第２視標投影手段６とを制御する制御部５７とを具備し、制御部５７は、第２の視標像を基に第１の視標像を識別可能となる様第１の視標像と第２の視標像を被検眼に同時に呈示させる様構成した。【選択図】図１
2018143571.tif 000002
【特許請求の範囲】
【請求項１】
第１の視標像を投影する光束を軸角度が異なる２以上の光束に分割する光束分割部材を有し、２以上の前記第１の視標像を分離した状態で被検眼に投影する第１視標投影手段と、２以上の前記第１の視標像のそれぞれに対応した２以上の第２の視標像を前記被検眼に投影する第２視標投影手段と、前記第１視標投影手段と前記第２視標投影手段とを制御する制御部とを具備し、該制御部は、前記第２の視標像を基に前記第１の視標像を識別可能となる様該第１の視標像と前記第２の視標像を前記被検眼に同時に呈示させる様構成した検眼装置。
【請求項２】
前記第１の視標像はクロスシリンダテスト用の視標像であり、前記光束分割部材はプリズムとクロスシリンダとが一体化されたプリズム付クロスシリンダであり、該プリズム付クロスシリンダにより光束が軸角度が異なる様分割される請求項１に記載の検眼装置。
【請求項３】
前記第２の視標像は、各第１の視標像を識別可能な数字、文字、記号、色のいずれかを含む請求項１又は請求項２に記載の検眼装置。
【請求項４】
前記制御部は、所定時間経過後に前記第２の視標像のみを消灯させる請求項１〜請求項３のうちいずれか１つに記載の検眼装置。
【請求項５】
前記第２視標投影手段は、呈示位置変更部材を更に具備し、前記制御部は、前記呈示位置変更部材を前記第２視標投影手段の光軸に沿って移動させ、前記第２の視標像を前記第１の視標像の呈示位置よりも遠方に呈示させる請求項１〜請求項３のうちいずれか１つに記載の検眼装置。
【請求項６】
前記制御部は、前記被検眼に呈示された各第１の視標像の位置の変化に追従して、各第２の視標像を呈示する位置を変化させる請求項１〜請求項５のうちいずれか１つに記載の検眼装置。
【請求項７】
前記制御部は、前記第２の視標像の周囲のみを白、他の部分を黒として前記被検眼に呈示させる請求項１〜請求項６のうちいずれか１つに記載の検眼装置。
【発明の詳細な説明】
【技術分野】
【０００１】
本発明は、被検眼の屈折力、特に乱視の有無や乱視の軸角度を測定する検眼装置に関するものである。
【背景技術】
【０００２】
従来より、被検眼の屈折力（眼屈折力）等の眼機能は、自覚検査、他覚検査、或は自覚検査と他覚検査とを併用して測定される。自覚検査は、ランドルト環等の各種視標に対する被検者の応答に基づき眼屈折力を測定するものである。又、他覚検査は、被検者に応答させることなく機械的に眼屈折力を測定するものである。自覚検査は測定に時間を要し、他覚検査は短時間で測定が可能であるが、他覚検査の結果は必ずしも自覚検査結果とは一致しない。従って、他覚検査の結果に基づき、自覚検査が行われることが多い。
【０００３】
眼屈折力の測定に於いて、乱視を検査する為の自覚検査では、主にクロスシリンダ（以下、ＣＣと称す）テストにより眼屈折力の測定が行われる。ＣＣテストは、乱視の有無（乱視量）や乱視の軸角度を測定するものであり、被検眼に点群等の視標を呈示した状態で、ＣＣレンズ（乱視レンズ）を交互に反転させ、ＣＣレンズの軸を９０°回転させた際にどちらがより明瞭に視認できるかを検査する。
【０００４】
上記したＣＣテストでは、ＣＣレンズを透した視標像が交互に呈示される為、２つの視標像を同時に比較することができない。又、視標像を繰返し呈示する必要がある為、検者がどちらの視標像なのか判断できず、混乱を招く場合もある。従って、測定に時間を要すると共に、検者や被検者の負担の増大に繋がっていた。
【０００５】
２つの視標像を同時に比較できるものとして、ＣＣレンズにプリズムを複合させ、軸角度が９０°異なる視標像を２つ同時に観察可能としたものがある。プリズム付ＣＣレンズを用いることで、検査時間を短縮することができる。然し乍ら、プリズム付ＣＣレンズの場合、乱視軸に沿って配置される２つの視標像がプリズムと一体に回転し、２つの視標像が必ずしも水平方向、垂直方向に並んでいない。従って、被検者が正確に回答できず、又被検者の回答が検者に正確に伝わらないこともあり、検者、被検者に対する負担が大きい。
【０００６】
又、プリズム付ＣＣレンズの外周部にのみ、それぞれ透過性の赤と緑の着色を施し、着色された色に基づきどちらの視標像かを回答させることも考えられるが、プリズム付ＣＣレンズを被検者の瞳孔と共役又は略共役な位置に配置した場合、プリズム付ＣＣレンズ外周の着色部を透過した光束が被検眼に入射せず、プリズム付ＣＣレンズの外周部に着色された色を認識し難い。
【先行技術文献】
【特許文献】
【０００７】
【特許文献１】特開２００４−１８０９５５号公報
【特許文献２】特開昭６４−２０８２５号公報
【発明の概要】
【発明が解決しようとする課題】
【０００８】
本発明は、被検者が２以上の視標を容易に識別可能な検眼装置を提供するものである。
【課題を解決するための手段】
【０００９】
本発明は、第１の視標像を投影する光束を軸角度が異なる２以上の光束に分割する光束分割部材を有し、２以上の前記第１の視標像を分離した状態で被検眼に投影する第１視標投影手段と、２以上の前記第１の視標像のそれぞれに対応した２以上の第２の視標像を前記被検眼に投影する第２視標投影手段と、前記第１視標投影手段と前記第２視標投影手段とを制御する制御部とを具備し、該制御部は、前記第２の視標像を基に前記第１の視標像を識別可能となる様該第１の視標像と前記第２の視標像を前記被検眼に同時に呈示させる様構成した検眼装置に係るものである。
【００１０】
又本発明は、前記第１の視標像はクロスシリンダテスト用の視標像であり、前記光束分割部材はプリズムとクロスシリンダとが一体化されたプリズム付クロスシリンダであり、該プリズム付クロスシリンダにより光束が軸角度が異なる様分割される検眼装置に係るものである。
【００１１】
又本発明は、前記第２の視標像は、各第１の視標像を識別可能な数字、文字、記号、色のいずれかを含む検眼装置に係るものである。
【００１２】
又本発明は、前記制御部は、所定時間経過後に前記第２の視標像のみを消灯させる検眼装置に係るものである。
【００１３】
又本発明は、前記第２視標投影手段は、呈示位置変更部材を更に具備し、前記制御部は、前記呈示位置変更部材を前記第２視標投影手段の光軸に沿って移動させ、前記第２の視標像を前記第１の視標像の呈示位置よりも遠方に呈示させる検眼装置に係るものである。
【００１４】
又本発明は、前記制御部は、前記被検眼に呈示された各第１の視標像の位置の変化に追従して、各第２の視標像を呈示する位置を変化させる検眼装置に係るものである。
【００１５】
更に又本発明は、前記制御部は、前記第２の視標像の周囲のみを白、他の部分を黒として前記被検眼に呈示させる検眼装置に係るものである。
【発明の効果】
【００１６】
本発明によれば、第１の視標像を投影する光束を軸角度が異なる２以上の光束に分割する光束分割部材を有し、２以上の前記第１の視標像を分離した状態で被検眼に投影する第１視標投影手段と、２以上の前記第１の視標像のそれぞれに対応した２以上の第２の視標像を前記被検眼に投影する第２視標投影手段と、前記第１視標投影手段と前記第２視標投影手段とを制御する制御部とを具備し、該制御部は、前記第２の視標像を基に前記第１の視標像を識別可能となる様該第１の視標像と前記第２の視標像を前記被検眼に同時に呈示させる様構成したので、被検者は２以上の前記第１の視標像の位置関係に拘わらず、対応する前記第２の視標像を選択するだけでよく、被検者の負担が軽減され、誤答が抑制されると共に、測定時間の短縮を図ることができるという優れた効果を発揮する。
【図面の簡単な説明】
【００１７】
【図１】本発明の実施例に係る検眼装置の光学系を示す光学配置図である。
【図２】本発明の実施例に係るクロスシリンダテストの処理工程を説明するフローチャートである。
【図３】前記光学系に於けるプリズム付ＣＣの作用を説明する説明図である。
【図４】（Ａ）はＣＣ視標光投影光学系から被検眼に呈示される視標像を示す説明図であり、（Ｂ）は視標光投影光学系から被検眼に呈示される視標像を示す説明図である。
【図５】（Ａ）〜（Ｅ）は、固視ＬＣＤマークの具体例を示す説明図である。
【図６】（Ａ）〜（Ｄ）は、ＣＣ視標像と固視ＬＣＤマークとの関係を示す説明図である。
【図７】（Ａ）、（Ｂ）は、ＣＣ視標像と固視ＬＣＤマークの他の呈示例を示す説明図である。
【図８】（Ａ）〜（Ｄ）は、被検者による自己測定が可能となる様構成されたＣＣ視標像と固視ＬＣＤマークの呈示例を示す説明図である。
【図９】両眼開放検査を行う場合の被検者と検眼装置との関係を説明する説明図である。
【図１０】（Ａ）は両眼開放検査に於いて、検査を実施する側の被検眼に対するＣＣ視標光投影光学系の呈示例を示す説明図であり、（Ｂ）は前記被検眼に対する視標光投影光学系の呈示例を示す説明図である。
【図１１】（Ａ）は両眼開放検査に於いて、検査を実施しない側の被検眼に対するＣＣ視標光投影光学系の呈示例を示す説明図であり、（Ｂ）は前記被検眼に対する視標光投影光学系の呈示例を示す説明図である。
【図１２】（Ａ）は両眼開放検査に於いて、検査を実施する側の被検眼に対するＣＣ視標光投影光学系と視標光投影光学系の呈示例を示す説明図であり、（Ｂ）は検査を実施しない側の被検眼に対するＣＣ視標光投影光学系と視標光投影光学系の呈示例を示す説明図である。
【発明を実施するための形態】
【００１８】
以下、図面を参照しつつ本発明の実施例を説明する。
【００１９】
先ず、本発明の実施例に係る検眼装置の概略構成を説明する。
【００２０】
検眼装置は、被検者の右眼と左眼の眼屈折力等をそれぞれ測定する検眼光学系を具備する。図１は、例えば右眼の眼屈折力等を測定する為の検眼光学系１を示す概略構成図である。尚、左眼の眼屈折力等を測定する検眼光学系は、前記検眼光学系１と同様の構成であるので説明を省略する。
【００２１】
該検眼光学系１は、前眼部観察光学系２と、パターン光束投影光学系（測定光学系）３と、受光光学系（測定光学系）４と、ＸＹアライメント光学系５と、第２視標投影手段としての視標光投影光学系６と、第１視標投影手段としてのクロスシリンダ視標光投影光学系（ＣＣ視標光投影光学系）７とを有している。尚、１０は被検眼Ｅの前眼部を照明するＬＥＤを示している。
【００２２】
前記前眼部観察光学系２は、被検眼Ｅの前眼部の観察等の為、前眼部を撮影する光学系となっている。前記前眼部観察光学系２は、主光軸Ｏ１を有し、該主光軸Ｏ１上に被検眼Ｅ側から対物レンズ８、ダイクロイックミラー９、ハーフミラー１１、リレーレンズ１２，１３、ダイクロイックミラー１４、結像レンズ１５、ＣＣＤ１６（撮像手段）が配置されている。前記前眼部観察光学系２は、被検眼Ｅの前眼部の観察等を行なう際に、前記ＣＣＤ１６の撮像面に前眼部像を形成する。
【００２３】
尚、前記ダイクロイックミラー９と前記ダイクロイックミラー１４は、例えば前記前眼部観察光学系２や前記ＸＹアライメント光学系５等で使用される９５０ｎｍの赤外光のみを透過し、可視光及び、例えば前記パターン光束投影光学系３で使用される８５０ｎｍの近赤外光を反射する光学特性を有している。
【００２４】
該パターン光束投影光学系３は、被検眼Ｅの眼屈折力を測定する為のリング状のパターン光束を眼底に投影する光学系となっている。該パターン光束投影光学系３は、光軸Ｏ２を有し、該光軸Ｏ２上に被検眼Ｅに向ってＬＥＤ１７、コリメータレンズ１８、円錐プリズム１９、リング指標板２１、結像レンズ２２、瞳絞り２３、フィールドレンズ２４、穴あき三角プリズム２５、回転可能なロータリプリズム２６、ダイクロイックミラー２７、前記ダイクロイックミラー９、前記対物レンズ８が配置されている。尚、光軸Ｏ２は、前記穴あき三角プリズム２５、前記ダイクロイックミラー２７、前記ダイクロイックミラー９に順次偏向され、主光軸Ｏ１と合致する。
【００２５】
前記ＬＥＤ１７は、近赤外光であり、該ＬＥＤ１７、前記コリメータレンズ１８、前記円錐プリズム１９、前記リング指標板２１は、一体として駆動モータ（図示せず）により、光軸Ｏ２に沿って進退駆動される。又、前記瞳絞り２３の一面には、エッチング等により前記ＬＥＤ１７からの光束を透過させるリング状の透過部が形成され、該透過部は被検眼Ｅの瞳孔と共役又は略共役な位置となっている。従って、被検眼Ｅの瞳孔上には、リング状の投影像が投影される。
【００２６】
尚、前記ダイクロイックミラー２７は、前記視標光投影光学系６及び前記ＣＣ視標光投影光学系７で使用される可視光を透過し、前記パターン光束投影光学系３で使用される近赤外光を反射する光学特性を有している。
【００２７】
前記受光光学系４は、光軸Ｏ３を有し、該光軸Ｏ３上に被検眼Ｅ側から前記対物レンズ８、前記ダイクロイックミラー９、前記ダイクロイックミラー２７、前記ロータリプリズム２６、前記穴あき三角プリズム２５の穴部２５ａ、フィールドレンズ２８、ミラー２９、リレーレンズ３１、合焦レンズ３２、ミラー３３、前記ダイクロイックミラー１４、前記結像レンズ１５、前記ＣＣＤ１６が配置されている。
【００２８】
尚、光軸Ｏ３は、前記ミラー２９、前記ダイクロイックミラー２７、前記ダイクロイックミラー９に順次偏向され、主光軸Ｏ１と合致すると共に、前記ミラー３３、前記ダイクロイックミラー１４に順次偏向され、主光軸Ｏ１と合致する。
【００２９】
前記穴あき三角プリズム２５の底面、即ち前記穴部２５ａの下端には絞りを配置し、被検眼Ｅの瞳孔と共役又は略共役な位置となっている。又、前記合焦レンズ３２は、駆動モータ（図示せず）により、光軸Ｏ３に沿って進退駆動される。尚、前記合焦レンズ３２と前記ＬＥＤ１７、前記コリメータレンズ１８、前記円錐プリズム１９、前記リング指標板２１は、一体に移動する構造になっていてもよい。
【００３０】
前記ＸＹアライメント光学系５は、ＬＥＤ３４、リレーレンズ３５、前記ハーフミラー１１を有している。前記ＸＹアライメント光学系５は、被検眼Ｅに向けてアライメント指標光束を投影し、主光軸Ｏ１と垂直な２方向（Ｘ軸方向、Ｙ軸方向）のアライメント状態を検出する機能を有している。
【００３１】
尚、図示はしないが、前記検眼光学系１は、被検眼Ｅに向けてアライメント指標光束を投影し、主光軸Ｏ１と平行な方向（Ｚ軸方向）のアライメント状態を検出するＺアライメント光学系を有している。主光軸Ｏ１と垂直な２方向のアライメント状態を検出する前記ＸＹアライメント光学系５と、主光軸Ｏ１と平行な方向のアライメント状態を検出するＺアライメント光学系により、アライメント手段が構成される。
【００３２】
前記視標光投影光学系６は、被検眼Ｅを固視、雲霧させる為に第２の視標である固視標等を投影し、眼底に呈示する光学系となっている。前記視標光投影光学系６は、光軸Ｏ４を有し、該光軸Ｏ４上に検眼視標ＬＣＤ３６、結像レンズ３７、呈示位置変更部材としての合焦レンズ３８、リレーレンズ３９、ビームスプリッタ４１、フィールドレンズ４２、バリアブルクロスシリンダ（ＶＣＣ）レンズ４３、ミラー４４、前記ダイクロイックミラー２７、前記ダイクロイックミラー９、前記対物レンズ８が配置されている。
【００３３】
尚、光軸Ｏ４は、前記ミラー４４、前記ダイクロイックミラー９に順次偏向され、主光軸Ｏ１と合致する。
【００３４】
前記検眼視標ＬＣＤ３６は、他覚検査及び自覚検査を実施する際に、固視及び雲霧を行う風景チャートの他、ランドルト環やＥ文字視標等、検眼視標や、後述するＣＣ視標像を識別する為の複数の視標等を表示する。
【００３５】
又、前記合焦レンズ３８は、駆動モータ（図示せず）により、光軸Ｏ４に沿って進退駆動される。前記合焦レンズ３８を被検眼Ｅ側に移動させることで、屈折力をマイナス側に変位させることができると共に、前記合焦レンズ３８を被検眼Ｅから離反する方向に移動させることで、屈折力をプラス側に変位させることができる。従って、前記合焦レンズ３８の進退駆動により、前記検眼視標ＬＣＤ３６に表示された視標の呈示距離を変更可能、即ち視標像の呈示位置を変更可能であると共に、被検眼Ｅを固視、雲霧させることができる。
【００３６】
前記ＶＣＣレンズ４３は、互いに正負の屈折力を有し、凸曲面を有するシリンダレンズと、凹曲面を有するシリンダレンズとから構成されている。２つのシリンダレンズは、図示しないパルスモータ等の駆動機構により、光軸Ｏ４を中心にそれぞれ独立して回転する様になっている。２つのシリンダレンズを相対的に回転させることで乱視量を調整でき、２つのシリンダレンズを一体に回転させることで乱視軸角度を調整することができる。従って、前記ＶＣＣレンズ４３は、被検眼Ｅの乱視を打消す様に作用する。尚、前記ＶＣＣレンズ４３は、例えば被検眼Ｅ上で０〜８Ｄの乱視量を発生させることができ、前記対物レンズ８を介して被検眼Ｅの瞳孔と略共役な位置に配置される。
【００３７】
前記ＣＣ視標光投影光学系７は、第１の視標であるＣＣ視標像を眼底に呈示する光学系となっている。前記ＣＣ視標光投影光学系７は、光軸Ｏ５を有し、該光軸Ｏ５上に被検眼Ｅに向ってＬＥＤ４５、拡散板４６、ＣＣ視標板４７、結像レンズ４８、光束分割部材としてのプリズム付クロスシリンダ（ＣＣ）レンズ４９、ミラー５１、リレーレンズ５２、前記ビームスプリッタ４１、前記フィールドレンズ４２、前記ＶＣＣレンズ４３、前記ミラー４４、前記ダイクロイックミラー２７、前記ダイクロイックミラー９、前記対物レンズ８が配置されている。
【００３８】
尚、光軸Ｏ５は、前記ミラー５１、前記ビームスプリッタ４１、前記ミラー４４、前記ダイクロイックミラー９に順次偏向され、主光軸Ｏ１と合致する。又、前記ビームスプリッタ４１、前記フィールドレンズ４２、前記ＶＣＣレンズ４３、前記ミラー４４、前記ダイクロイックミラー２７、前記ダイクロイックミラー９、前記対物レンズ８は前記視標光投影光学系６と共通して使用される。即ち、該視標光投影光学系６と前記ＣＣ視標光投影光学系７とは、前記ビームスプリッタ４１を介して光路が合致される。
【００３９】
前記ＣＣ視標板４７は、ガラス基板にＣＣ検査用の点群状のドット視標パターンを描画したものである。前記ＬＥＤ４５から白色光が照射され、白色光が前記ＣＣ視標板４７を透過し、被検眼ＥにＣＣ視標像が呈示される。又、前記ＣＣ視標板４７に隣接して前記拡散板４６が配置されている。該拡散板４６により、前記ＣＣ視標板４７を透過する白色光の照明ムラが低減される。
【００４０】
前記ＬＥＤ４５、前記拡散板４６、前記ＣＣ視標板４７は、駆動モータ（図示せず）により、光軸Ｏ５に沿ってＣＣ視標ユニットとして一体に進退駆動される。前記ＬＥＤ４５、前記拡散板４６、前記ＣＣ視標板４７の進退駆動により、前記ＣＣ視標板４７から投影されるＣＣ視標像の呈示距離を変更可能とすることができる。
【００４１】
尚、前記ＬＥＤ４５、前記拡散板４６、前記ＣＣ視標板４７を固定とし、合焦レンズを追加し、該合焦レンズを光軸Ｏ５に沿って進退駆動する構成としてもよい。又、前記ＬＥＤ４５、前記拡散板４６、前記ＣＣ視標板４７に替えて、前記視標光投影光学系６と同様にＬＣＤを用いてもよい。
【００４２】
前記プリズム付ＣＣレンズ４９は、プリズムとクロスシリンダレンズとが一体化されたものである。前記プリズム付ＣＣレンズ４９は、例えば±０．５Ｄ等のシリンダレンズが光軸Ｏ５と直交し、母線が光軸Ｏ５に対して４５°傾斜したプリズム４９ａ，４９ｂ（図３参照）を有している。又、前記プリズム付ＣＣレンズ４９は、前記リレーレンズ５２に対して前記ＶＣＣレンズ４３と略共役であり、即ち被検眼Ｅの瞳孔と略共役な位置となっている。
【００４３】
又、前記プリズム付ＣＣレンズ４９の周囲には、例えばリングギア５４が形成されている。該リングギア５４は、駆動モータの出力軸に形成された駆動ギア５５と噛合し、前記駆動モータを介して前記プリズム付ＣＣレンズ４９が回転される。尚、前記駆動モータは、回転角を検出できるもの、或は駆動入力値に対応した回転をするもの、例えばパルスモータ５６が用いられる。
【００４４】
図３は、前記プリズム付ＣＣレンズ４９の作用例を示したものである。図３に示される様に、該プリズム付ＣＣレンズ４９に前記ＣＣ視標板４７からのＣＣ視標像５３の光束が入射すると、該光束は前記プリズム４９ａを透過した光束と前記プリズム４９ｂを透過した光束に分割される。分割された光束は軸角度が９０°異なった２つのＣＣ視標像５３ａ，５３ｂとして被検眼Ｅに分離した状態で呈示される。従って、前記プリズム付ＣＣレンズ４９を設けることで、軸角度が９０°異なる２つの前記ＣＣ視標像５３ａ，５３ｂを同時に観察できる。
【００４５】
又、図１に示される様に、前記検眼光学系１は、制御部５７を有している。該制御部５７は、前記ＬＥＤ１０、前記ＬＥＤ１７、前記ＬＥＤ３４、前記検眼視標ＬＣＤ３６、前記ＬＥＤ４５の発光や表示を制御し、前記ＬＥＤ１７と前記コリメータレンズ１８と前記円錐プリズム１９と前記リング指標板２１とからなる光源ユニット、前記合焦レンズ３２、前記合焦レンズ３８と、前記ＬＥＤ４５、前記拡散板４６、前記ＣＣ視標板４７の進退駆動を制御し、前記ＶＣＣレンズ４３、前記プリズム付ＣＣレンズ４９、前記ロータリプリズム２６の回転を制御すると共に、被検眼Ｅに対するアライメントを制御する。
【００４６】
又、前記制御部５７は、前記プリズム付ＣＣレンズ４９の回転角の変化に基づき、前記検眼視標ＬＣＤ３６の視標の呈示位置を変更可能となっている。即ち、被検眼Ｅに対する前記ＣＣ視標像５３ａ，５３ｂの呈示位置の変化に追従させて、前記検眼視標ＬＣＤ３６から投影された視標の呈示位置を変更可能となっている。尚、前記制御部５７により、前記ＶＣＣレンズ４３で発生させる軸角度に連動させ、前記プリズム付ＣＣレンズ４９を回転させてもよい。
【００４７】
更に、前記制御部５７は、前記ＣＣＤ１６に反射光束が受光された際の受光信号を基に、眼屈折力を演算すると共に、視力検査やレッドグリーンテスト、ＣＣテスト等の自覚検査を実施する様になっている。
【００４８】
次に、前記検眼光学系１を有する検眼装置を用いた被検眼Ｅの検眼について説明する。尚、以下の説明では、右眼を被検眼Ｅとして説明している。又、左眼の検眼については、右眼と同様であるので説明を省略する。
【００４９】
先ず始めに、被検者が検眼装置の顎受け（図示せず）に顎を乗せ、被検眼Ｅを所定の位置に配置する。又、前記検眼視標ＬＣＤ３６に風景等の固視標を表示させ、被検眼Ｅを固視させる為の固視標を被検眼Ｅに投影する。
【００５０】
固視が完了すると、被検眼Ｅに対するアライメントが行われる。被検眼Ｅのアライメントは、前記ＸＹアライメント光学系５及びＺアライメント光学系（図示せず）により行われる。前記ＬＥＤ３４を点灯し、前記ＸＹアライメント光学系５を介して被検眼ＥにＸＹアライメント用の光束を投影する。又、ＬＥＤ（図示せず）を点灯し、前記Ｚアライメント光学系を介して被検眼ＥにＺアライメント用の光束を投影する。更に、ＬＥＤ１０を点灯し、被検眼Ｅの前眼部に照明光を照射する。
【００５１】
前記ＸＹアライメント光学系５、前記Ｚアライメント光学系、前記ＬＥＤ１０から被検眼Ｅに入射された光束は、角膜に反射される。角膜からの反射光は、前記前眼部観察光学系２を介して前記ＣＣＤ１６に結像され、プルキンエ像（輝点）や前眼部の画像等が取得される。
【００５２】
前記制御部５７は、前記ＣＣＤ１６で撮像された前記ＬＥＤ３４からの投影像に基づき、ＸＹ方向のアライメントを実施すると共に、Ｚアライメント光学系のＬＥＤからの投影像に基づきＺ方向のアライメントを実施する。尚、アライメントは、図示しない表示部に表示されたプルキンエ像を基に検者が行ってもよい。
【００５３】
アライメントが完了すると、他覚検査が実施される。先ず、前記ＬＥＤ１７を点灯させ、前記円錐プリズム１９、前記リング指標板２１等を介し、前記瞳絞り２３の透過部を透過したリング状の光束を被検眼Ｅに投影する。リング状の光束は、被検眼Ｅの眼屈折力により形状を歪められた状態で、被検眼Ｅの眼底で反射される。眼底で反射されたリング状の光束は、前記受光光学系４を介して前記ＣＣＤ１６に結像される。
【００５４】
前記制御部５７は、前記ＣＣＤ１６で撮像したリング像の形状と、前記ＬＥＤ１７、前記コリメータレンズ１８、前記円錐プリズム１９、前記リング指標板２１及び前記合焦レンズ３２の移動量を基に、被検眼Ｅの眼屈折力を演算する。
【００５５】
被検眼Ｅの眼屈折力の演算により、他覚検査が終了する。他覚検査の終了後は、他覚検査で求められた測定結果に基づき自覚検査が実施される。尚、他覚検査の方法は上記の方法に限らない。例えば、被検眼Ｅの眼底に小輝点を投影し、該眼底から反射した光束を受光経路内に配置した光学素子によりリングや複数の点像からなるパターンとして検出し、眼屈折力を演算するものでもよい。
【００５６】
他覚検査結果より得られた遠点での眼屈折力ＳＣＡ値に基づき、被検眼Ｅの屈折異常を矯正する様に前記合焦レンズ３８を光軸Ｏ４に沿って移動し、前記ＶＣＣ４３の各々のシリンダレンズを相対的に回転しセットする。又、前記検眼視標ＬＣＤ３６には視力検査用の視標(ランドルト環やＥ文字視標等)を表示し、被検眼Ｅへ呈示する。
【００５７】
被検者は呈示されたランドルト環の切れ目やＥ文字の向きを口答もしくはレバー等の傾倒方向等で応答する。
【００５８】
視力検査用の視標に対する応答で充分な視力(例えば視力値１．０以上)が得られない場合は前記合焦レンズ３８や前記ＶＣＣ４３の角度を変更する。乱視量や軸角度のズレは、放射線状の視標を呈示して経線方向に於いて「見え」の差異の有無でも概略の確認が可能である。乱視量、軸角度のズレの詳細を確認する為に図２のフローチャートで示されるＣＣテストを実施する。
【００５９】
ＳＴＥＰ：０１〜ＳＴＥＰ：０４  前記ＣＣ視標ユニットを一体的に前記合焦レンズ３８に相当する位置へ移動する。前記プリズム付ＣＣレンズ４９は前記ＶＣＣ４３によって発生されている乱視の軸角度に合わせて回転する。尚、本実施例では、ＳＴＥＰ：０１、ＳＴＥＰ：０２の処理は、事前に行われているので省略されている。
【００６０】
ＳＴＥＰ：０５  次に、前記ＬＥＤ４５が点灯される。該ＬＥＤ４５から発せられた白色光は、前記ＣＣ視標板４７を透過し、前記プリズム付ＣＣレンズ４９で分割され、分離された点群状の前記ＣＣ視標像５３ａ，５３ｂとして被検眼Ｅに呈示される。
【００６１】
この時、被検者は、例えば図４（Ａ）に示される様に、所定の位置関係で配置された（図４（Ａ）中では斜めに並んで配置された）前記ＣＣ視標像５３ａ，５３ｂを確認することができる。配置の角度は前記プリズム付ＣＣレンズ４９の回転角度、即ち被検眼Ｅの軸角度に一致する。尚、前記ＣＣ視標像５３ａ，５３ｂは前記プリズム付ＣＣレンズ４９の影響でボケた状態で呈示されている。前記ＣＣ視標像５３ａ，５３ｂのボケ具合を比較し双方のボケがほぼ同じになるように前記ＶＣＣ４３の相対角度を調整することで、正確な乱視量、軸角度を決定することができる。
【００６２】
ＳＴＥＰ：０６  該ＣＣ視標像５３ａ，５３ｂの呈示後、前記検眼視標ＬＣＤ３６が所定の位置に所定の視標（以下固視ＬＣＤマークと称す）を表示し、被検眼Ｅに呈示する。例えば、図４（Ｂ）に示される様に、前記ＣＣ視標像５３ａに対応する位置に算用数字からなる固視ＬＣＤマーク５８ａ（図４（Ｂ）中では１）が表示され、前記視標像５３ｂに対応する位置に前記固視ＬＣＤマーク５８ａとは異なる算用数字からなる固視ＬＣＤマーク５８ｂ（図４（Ｂ）中では２）が表示される。
【００６３】
図５（Ａ）〜図５（Ｅ）は、被検眼Ｅに前記ＣＣ視標像５３ａ，５３ｂと前記固視ＬＣＤマーク５８ａ，５８ｂとが同時に呈示された場合の呈示例を示している。
【００６４】
前記ＬＥＤ４５と前記検眼視標ＬＣＤ３６とが同時に点灯されることで、図５（Ａ）に示される様に、前記ＣＣ視標像５３ａ，５３ｂと、前記ＣＣ視標像５３ａの近傍に表示された前記固視ＬＣＤマーク５８ａと、前記ＣＣ視標像５３ｂの近傍に表示された前記固視ＬＣＤマーク５８ｂとが同時に被検眼Ｅに呈示され、視認することができる。
【００６５】
尚、前記固視ＬＣＤマーク５８ａ，５８ｂは、図５（Ｂ）に示される様に、ＬｅｆｔとＲｉｇｈｔの頭文字を取ったＬとＲとしてもよい。又、図５（Ｃ）、図５（Ｄ）に示される様に、左右、上下等、漢字を前記固視ＬＣＤマーク５８ａ，５８ｂとしてもよい。更に、図５（Ｅ）に示される様に、該固視ＬＣＤマーク５８ａ，５８ｂを例えば赤と緑の円とし、該円で前記ＣＣ視標像５３ａ，５３ｂを囲む様にしてもよい。
【００６６】
前記固視ＬＣＤマーク５８ａ，５８ｂの態様は、上記した５つのパターンに限られるものではなく、前記ＣＣ視標像５３ａ，５３ｂを識別可能となるものであればどの様なものでもよい。例えば、前記固視ＬＣＤマーク５８ａ，５８ｂを漢数字やローマ数字としてもよいし、形状の異なる図形としてそれぞれ前記ＣＣ視標像５３ａ，５３ｂを囲む様にしてもよい。更に、前記固視ＬＣＤマーク５８ａ，５８ｂは、形状の異なる矢印等の記号であってもよいのは言う迄もない。
【００６７】
ＳＴＥＰ：０７  前記固視ＬＣＤマーク５８ａ，５８ｂの呈示後、被検者が充分認識できる所定の時間が経過すると、前記固視ＬＣＤマーク５８ａ，５８ｂが消灯される。
【００６８】
該固視ＬＣＤマーク５８ａ，５８ｂは前記プリズム付ＣＣレンズ４９を透過しない為、双方とも同等の「見え」となる。又、前記ＣＣ固視標像５３ａ，５３ｂは前記プリズム付ＣＣレンズ４９の影響でいずれかの視標像もしくは双方が同じ様にボケて視認される。従って、被検眼Ｅが前記固視ＬＣＤマーク５８ａ，５８ｂに注目して調節してしまったり、前記ＣＣ視標像５３ａ，５３ｂではなく、前記固視ＬＣＤマーク５８ａ，５８ｂに着目して「両方ともはっきり見える」と誤認してしまう等の不具合を回避可能となる。
【００６９】
ＳＴＥＰ：０８  検者はどちらの像が明瞭に（はっきりと）見えるかを問いかけ、被検者は、前記ＣＣ視標像５３ａ，５３ｂのどちらが明瞭に視認できるかを判断する。該ＣＣ視標像５３ａ，５３ｂが同程度にボケて見える（明瞭である）と判断した場合には、被検者はその旨を検者に応答し、ＣＣテストが完了する。尚、被検者の応答は、音声であってもよいし、傾動可能なレバー、或は前記固視ＬＣＤマーク５８ａ，５８ｂを指定可能なボタン等であってもよい。
【００７０】
又、前記ＣＣ視標像５３ａ，５３ｂの明瞭さが異なる場合には、被検者ははっきりと視認できた前記ＣＣ視標像５３ａ，５３ｂに対応する前記固視ＬＣＤマーク５８ａ，５８ｂを検者に応答する。
【００７１】
ＳＴＥＰ：０９  ＳＴＥＰ：１０  検者は、被検者の応答に基づき、条件を替えて再度被検者に確認する。即ち、前記ＶＣＣレンズ４３を相対的に回転し、乱視量及び乱視軸角度を調整する。前記プリズム付ＣＣレンズ４９は、前記ＶＣＣレンズ４３により発生する軸角度に合わせて回転する。又、前記検眼視標ＬＣＤ３６に前記固視ＬＣＤマーク５８ａ，５８ｂを表示させ、被検眼Ｅに呈示させる。
【００７２】
この時、図６（Ａ）〜図６（Ｄ）に示される様に、前記プリズム付ＣＣレンズ４９の回転角に応じて、前記ＣＣ視標像５３ａ，５３ｂの位置関係も変化している。本実施例では、前記プリズム付ＣＣレンズ４９の回転角の変化に追従して、前記固視ＬＣＤマーク５８ａ，５８ｂの表示位置が変化する様になっているので、前記ＣＣ視標像５３ａ，５３ｂの位置関係に拘わらず、常に前記固視ＬＣＤマーク５８ａ，５８ｂが対応する前記ＣＣ視標像５３ａ，５３ｂの近傍に表示される。
【００７３】
ＳＴＥＰ：１１  前記固視ＬＣＤマーク５８ａ，５８ｂの呈示後、所定の時間が経過すると、該固視ＬＣＤマーク５８ａ，５８ｂが消灯され、再度被検者によりＳＴＥＰ：０８の判断が行われる。
【００７４】
被検者が、検者に対して該ＣＣ視標像５３ａ，５３ｂが同程度であると応答した場合には、ＣＣテストを完了させる。又、被検者が検者に対して該ＣＣ視標像５３ａ，５３ｂのいずれかがはっきりと視認できると応答した場合には、被検者が該ＣＣ視標像５３ａ，５３ｂが同程度であると応答する迄ＳＴＥＰ：０９〜ＳＴＥＰ：１１の工程を繰返す。
【００７５】
上記したＳＴＥＰ：０１〜ＳＴＥＰ：１１の工程が完了することで、前記制御部５７は、前記ＶＣＣレンズ４３の相対回転量と、該ＶＣＣレンズ４３の一体回転量に基づき、被検眼Ｅの乱視量と乱視軸角度を演算することができる。これにより、乱視量と乱視軸角度を測定するＣＣテストが完了する。以降、レッドグリーンテスト、両眼開放検査等を実施し、自覚検査を終了する。
【００７６】
上述の様に、本実施例では、前記ＣＣ視標光投影光学系７を設け、該ＣＣ視標光投影光学系７から投影された前記ＣＣ視標像５３ａ，５３ｂを２つ同時に被検眼Ｅに呈示している。
【００７７】
従って、被検者は、軸角度が９０°異なる前記ＣＣ視標像５３ａ，５３ｂを同時に視認することができ、一方の視標像がどの程度の明瞭さであったかを記憶し、他方の視標像と比較を行う必要がないので、被検者の負担を軽減することができる。
【００７８】
又、前記ＣＣ視標像５３ａ，５３ｂと共に、前記視標光投影光学系６から投影された前記固視ＬＣＤマーク５８ａ，５８ｂが被検眼Ｅに同時に呈示され、該固視ＬＣＤマーク５８ａ，５８ｂはそれぞれ対応する前記ＣＣ視標像５３ａ，５３ｂの近傍に呈示される様になっている。
【００７９】
従って、被検者は、前記ＣＣ視標像５３ａ，５３ｂの配置に拘わらず、明瞭に視認されている前記ＣＣ視標像５３ａ，５３ｂの近傍に位置する前記固視ＬＣＤマーク５８ａ，５８ｂを答えるだけでよいので、被検者の負担が軽減されると共に、被検者の誤答を抑制することができ、測定時間の短縮、作業性の向上を図ることができる。
【００８０】
又、前記固視ＬＣＤマーク５８ａ，５８ｂは、前記プリズム付ＣＣレンズ４９の回転により変化する前記ＣＣ視標像５３ａ，５３ｂの配置に対応して、呈示位置が変更される様になっているので、ＣＣテストを繰返し、前記ＣＣ視標像５３ａ，５３ｂの配置が順次変更される場合であっても、前記ＣＣ視標像５３ａ，５３ｂに追従して前記固視ＬＣＤマーク５８ａ，５８ｂの呈示位置が変更される。
【００８１】
従って、該固視ＬＣＤマーク５８ａ，５８ｂは常に対応する前記ＣＣ視標像５３ａ，５３ｂの近傍に位置するので、被検者が答えを迷い、誤ることがなく、被検者の負担が軽減されると共に、測定時間の短縮、作業性の向上を図ることができる。
【００８２】
尚、本実施例では、ＳＴＥＰ：０１〜ＳＴＥＰ：１１の工程により、ＣＣテストを実施しているが、ＣＣテストの工程は上記に限られるものではない。
【００８３】
例えば、ＳＴＥＰ：０６で前記固視ＬＣＤマーク５８ａ，５８ｂを呈示する際、前記検眼視標ＬＣＤ３６に表示された前記固視ＬＣＤマーク５８ａ，５８ｂが前記ＣＣ視標像５３ａ，５３ｂの呈示位置よりも遠方に呈示される様、前記合焦レンズ３８の位置を雲霧位置に調整する。これにより、固視標或は前記固視ＬＣＤマーク５８ａ，５８ｂは、被検眼Ｅが焦点調節できない距離に呈示され、前記ＣＣ視標像５３ａ，５３ｂと比べてボケた像（雲霧像）として被検者に視認される。従って、被検眼Ｅが前記固視ＬＣＤマーク５８ａ，５８ｂにピントを合わせてしまう調節刺激となり難くなり、検眼への影響を回避できる。
【００８４】
該固視ＬＣＤマーク５８ａ，５８ｂの明瞭さは、該固視ＬＣＤマーク５８ａ，５８ｂを認識可能であり、且つ前記ＣＣ視標像５３ａ，５３ｂよりもボケる程度とするのが望ましい。
【００８５】
前記固視ＬＣＤマーク５８ａ，５８ｂが被検眼Ｅが焦点調節できない位置（雲霧位置）に呈示されることで、該固視ＬＣＤマーク５８ａ，５８ｂが調節刺激となることがなくなるので、該固視ＬＣＤマーク５８ａ，５８ｂを消灯することなく呈示し続けることができる。
【００８６】
従って、ＳＴＥＰ：０７、ＳＴＥＰ：１１の、所定時間経過後に前記固視ＬＣＤマーク５８ａ，５８ｂを消灯するという工程が不要となるので、工程数の低減が図れ、測定時間の短縮、作業性の向上を図ることができる。
【００８７】
又、ＳＴＥＰ：０８に於いても、前記ＣＣ視標像５３ａ，５３ｂと前記固視ＬＣＤマーク５８ａ，５８ｂとが同時に呈示されているので、被検者は見たままを答えればよく、作業者の負担をより軽減させることができる。
【００８８】
尚、前記検眼視標ＬＣＤ３６は、前記固視ＬＣＤマーク５８ａ，５８ｂを被検眼Ｅに呈示する際、該固視ＬＣＤマーク５８ａ，５８ｂを黒、それ以外の部分を白として発光している。この為、被検眼Ｅには、前記ＣＣ視標像５３ａ，５３ｂに前記検眼視標ＬＣＤ３６からの白色光が重なった状態で呈示されるので、前記ＣＣ視標像５３ａ，５３ｂのコントラストが低下し、視認性が低下する虞れがある。
【００８９】
前記ＣＣ視標像５３ａ，５３ｂのコントラスト低下防止の為、例えば図７（Ｂ）に示される様に、前記固視ＬＣＤマーク５８ａ，５８ｂの周囲のみを白とし、それ以外の部分を黒として前記検眼視標ＬＣＤ３６を発光させてもよい。或は、該検眼視標ＬＣＤ３６がカラーＬＣＤである場合には、前記固視ＬＣＤマーク５８ａ，５８ｂのみを赤や緑等、色付きで発光させてもよい。
【００９０】
上記の様な構成とすることで、前記ＣＣ視標像５３ａ，５３ｂと前記検眼視標ＬＣＤ３６からの白色光との重なりを防止でき、前記ＣＣ視標像５３ａ，５３ｂのコントラスト低下を防止できるので、該ＣＣ視標像５３ａ，５３ｂの視認性が向上され、被検者による応答の正確性を向上させることができる。
【００９１】
又、本実施例では、被検者の応答を基に、検者が前記プリズム付ＣＣレンズ４９の回転等、条件の変更を行い、ＣＣテストを実施していたが、被検者単独でＣＣテストを実施できる様にしてもよい。
【００９２】
例えば、前記制御部５７にマウスを接続し、図８（Ｂ）に示される様な、前記検眼視標ＬＣＤ３６にマウスと連動して動くマウスポインタ６１と、例えば「変わらない」と表示されたアイコン６２とを表示させる。この時、被検眼Ｅには、図８（Ｃ）に示される様な、図８（Ａ）に示される前記ＣＣ視標像５３ａ，５３ｂと、図８（Ｂ）が合成されたものが呈示されている。
【００９３】
被検者は、前記ＣＣ視標像５３ａ，５３ｂのうち、はっきり見えるＣＣ視標像の上に前記マウスポインタ６１を移動させ、クリックする。或は、前記ＣＣ視標像５３ａ，５３ｂが同じように見える場合には、前記アイコン６２上に前記マウスポインタ６１を移動させ、クリックする。
【００９４】
又、図８（Ｄ）に示される様に、前記制御部５７に入力パッドを接続し、前記検眼視標ＬＣＤ３６に入力位置と連動して移動する入力ポインタ６３と、「変わらない」と表示された前記アイコン６２とを表示させる様にしてもよい。
【００９５】
被検者は、前記ＣＣ視標像５３ａ，５３ｂのうち、はっきり見えるＣＣ視標像の上に前記入力ポインタ６３を移動させ、丸で囲む。或は、前記ＣＣ視標像５３ａ，５３ｂが同じように見える場合には、前記アイコン６２を丸で囲むかタッチする。
【００９６】
前記制御部５７は、クリック等により入力信号が発せられた際の前記マウスポインタ６１、前記入力ポインタ６３の前記検眼視標ＬＣＤ３６上の位置に基づき、条件の変更、ＣＣテストの終了等、各種処理を自動で実施する。
【００９７】
上記の様な構成とすることで、被検者が単独でＣＣテストを実施可能となり、作業性を更に向上させることができる。尚、被検者が単独でＣＣテストを実施可能とする構成は上記のものに限られるものではない。
【００９８】
次に、本実施例の検眼装置を用い、両眼開放検査を実施する場合について説明する。尚、図９は、前記検眼装置と被検者との位置関係を示す概略図であり、左眼と右眼にそれぞれ検眼光学系１ａ，１ｂが設けられている。
【００９９】
図１０（Ａ）、図１０（Ｂ）、図１１（Ａ）、図１１（Ｂ）、図１２（Ａ）、図１２（Ｂ）は、両眼開放検査に於いて、左眼のＣＣテストを行う場合の表示例を示している。
【０１００】
左眼の前記検眼光学系１ａでは、図１０（Ａ）に示される様に、前記ＣＣ視標光投影光学系７は、前記ＣＣ視標像５３ａ，５３ｂが投影する。又、図１０（Ｂ）に示される様に、前記視標光投影光学系６は、前記固視ＬＣＤマーク５８ａ，５８ｂの周囲、及び融像枠５９の周囲のみが白となるよう、前記検眼視標ＬＣＤ３６を発光させる。
【０１０１】
図１０（Ａ）と図１０（Ｂ）とが合成されることで、被検者は図１２（Ａ）に示される様な、前記ＣＣ視標像５３ａ，５３ｂと前記固視ＬＣＤマーク５８ａ，５８ｂと前記融像枠５９とが呈示された像を左眼で視認することができ、視認した像に基づき左眼についてのＣＣテストが実施される。尚、ＣＣテストについては、前述と同様であるので説明を省略する。
【０１０２】
又、右眼の前記検眼光学系１ｂでは、図１１（Ａ）に示される様に、前記ＣＣ視標光投影光学系７は、前記ＣＣ視標像５３ａ，５３ｂを投影していない。又、図１１（Ｂ）に示される様に、前記視標光投影光学系６は、前記固視ＬＣＤマーク５８ａ，５８ｂ、及び前記融像枠５９のみが黒となる様、前記検眼視標ＬＣＤ３６を発光させる。
【０１０３】
図１１（Ａ）と図１１（Ｂ）とが合成されることで、被検者は図１２（Ｂ）に示される様な、前記固視ＬＣＤマーク５８ａ，５８ｂと前記融像枠５９とが呈示された像を視認することができる。
【０１０４】
上記した様に、ＣＣテストを実施しない右眼に対して、図１２（Ｂ）に示される様な像、特に前記融像枠５９を有する像を呈示することで、右眼に融像刺激を与え、両眼視状態を保つことができる。
【０１０５】
尚、両眼に呈示される像の輝度差や輝度ムラの差を低減させる為、前記検眼光学系１ａと前記検眼光学系１ｂとの間で、前記検眼視標ＬＣＤ３６の画素の輝度を調整することが望ましい。
【符号の説明】
【０１０６】
１              検眼光学系
６              視標光投影光学系
７              ＣＣ視標光投影光学系
３６            検眼視標ＬＣＤ
３８            合焦レンズ
４３            ＶＣＣレンズ
４５            ＬＥＤ
４６            拡散板
４７            ＣＣ視標板
４９            プリズム付ＣＣレンズ
５３            ＣＣ視標像
５７            制御部
５８ａ，５８ｂ  固視ＬＣＤマーク
【図１】
2018143571.tif 000003
【図２】
2018143571.tif 000004
【図３】
2018143571.tif 000005
【図４】
2018143571.tif 000006
【図５】
2018143571.tif 000007
【図６】
2018143571.tif 000008
【図７】
2018143571.tif 000009
【図８】
2018143571.tif 000010
【図９】
2018143571.tif 000011
【図１０】
2018143571.tif 000012
【図１１】
2018143571.tif 000013
【図１２】
2018143571.tif 000014